(57)【要約】      （修正有）【課題】従来の縦型風力発電装置は無風、弱風時に発電が不可能で有りました、縦型風力発電装置の新たな活用法を考案したものである。【解決手段】縦型風力発電装置の風車内部の発電装置部の回転中心シャフト１６に取り付けた腕木１７の先端に移動装置３４を取り付け、無風、微風時にこれを稼働させ回転エネルギーとし風力の代用とし無風、微風時に利用し中心シャフト１６を回転させ連結された発電装置で発電出来るよう工夫したものである。【選択図】図１
2013029062.tif 000002
【特許請求の範囲】
【請求項１】
縦型風力発電装置の中心シャフトより離れた位置すなわち中心シャフト取り付けた腕に取りつた腕木の先端部あるいはパネル下部に補助装置を取り付け、テコの原理でより小さなエネルギーで無風、微風時にこの装置を稼働させ風力の代わりのエネルギーとして利用可能とした発電方法を特徴とする縦型風力発電装置の発電方法および補助装置。
【請求項２】
縦型風力発電装置の外周部パネル下部に補助装置を取り付け、中心シャフトより離れた場所で腕木と連結しテコの原理でより小さなエネルギーを利用し無風、微風にこの装置を稼働させ風力の代わりのエネルギーとして利用し発電するようにしたことを特徴とする縦型風力発電装置の発電方法および補助装置。
【発明の詳細な説明】
【技術分野】
【０００１】
本発明は実用登録３１６３９７７の縦型風力発電装置の中心シャフトに取り付けた水平方向に回転する腕木先端に補助装置を取り付け無風、微風時にこれを作動させ風力の代わりの回転エネルギーとし活用し腕木を移動させることにより中心シャフトを回転させ連結された発電装置で発電させるものである。すなわち、風力発電装置の大きな弱点である、無風、微風時の発電を可能にし、また、必要時に補助装置を作動させ発電できる事で従来の風力発電の概念を大きく変える発明である。
【背景技術】
【０００２】
縦型風力発電装置のみならず、風力発電の弱点は無風状態では発電装置が何の役にも立たない、これを、本発明は風力発電装置の更なる利用を可能にしたものである。
【先行技術文献】
【特許文献】
【０００３】
【特許文献１】登録実用第３１６３９７７号公報
【特許文献２】特開２００８−２２３７５３号公報
【発明の概要】
【発明が解決しようとする課題】
【０００４】
本発明は縦型風力発電装置の弱点である無風、微風時は発電が出来ない。
【課題を解決するための手段】
【０００５】
本発明は、縦型風力発電装置弱点である、無風、微風時に発電できない弱点を克服する為の手段として、風力の代わりに、登録実用第３１６３９７７号公報などの縦型風力発電装置の中心シャフトに取り付けた水平方向に回転する腕木先端に補助装置を取り付け、これを作動させ風力の代わりのエネルギーとして活用し発電をさせるようにしたものである。
本発明の補助装置とはモーター、原動機、などの現在知られている駆動装置をさす。
【０００６】
すなわち、縦型風力発電装置を電力が必要な時に発電できる、従来の縦型風力発電装置の活用範囲を拡大させたものである。
【発明の効果】
【０００７】
本発明は縦型風力発電装置の中心シャフトに取り付けた水平方向に回転する腕木先端に補助装置を取り付け、無風、微風時にこれを作動させ風力の代わりの回転エネルギーとし活用し中心シャフトを回転させ連結された発電装置で発電させるものである。
【０００８】
すなわち、風力発電装置の大きな弱点である、無風、微風時の発電を可能にし、また、大量の電力量が必要な場合、補助装置を作動させて回転エネルギーと風力と合わせて発電させる事も出来るようしたもので従来の縦型風力発電の概念を大きく変えた発明である。
【０００９】
この発明は、風力と補助装置の併用で大きな回転エネルギーを得て、発電可能になる新たな縦型風力発電装置を可能としたものである。
【図面の簡単な説明】
【００１０】
【図１】図１は実施例１に示す縦型風力発電装置の内部に取り付けた腕木の先端部に補助装置を取り付けた図である。
【図２】図２は実施例１の断面図である。
【図３】図３は実施例２の縦型風力発電装置の外周パネル下部に取り付けた図である。
【図４】実施例２の断面図である。
【発明を実施するための形態】
【００１１】
本発明の補助装置は図１および図３に示すように腕木又はパネル下部に取り付け作動させ発電するものである。
【実施例１】
【００１２】
本発明の風力発電装置は図１、２に示すように縦方向の回転軸の中心シャフト１６に腕木１７を用いて風受け翼本体２１が複数枚設けられており、風車の外周を風向調整翼板付きパネル１３で覆つている。この各パネル１３は縦方向の複数の風向調整板翼１５で構成しており、その風向調整板翼１５の個々の固定角度を変えて前記風受け翼本体２１の風受面に風が集中するように取り付け、風車内風受け翼板翼１５に風を集中させる様にしている。
又、腕木の先端部には補助装置３４を固定して無風、微風時に該補助装置３４にて腕木１７を移動させてシャフト１６を回転可能としている。
【００１３】
外周を囲む風向調整翼板付きパネル１３同士の連結は隣る合うパネル１３間に柱１２を用いて固定している。あらゆる方向の風に対して、各パネルの取り付け位置で、風車内の風受け翼板に対して風入量が集中するようにした構造の風力発電装置である。
【００１４】
縦型風車の内部を構成する回転部の中心シャフト１６は中心シャフト受け部２２に軸受けがあり、蓄電池２７に接続された発電装置２５と回転増幅ギヤー２４及び回転変化ギヤー２３を介して回転可能であり、この中心シャフト１６には左右均等割り、又は円周を均等割りに取り付けた腕木１７の先端に風受け翼本体２１に風受け翼３２が半円ないし３/１円状取り付けられている。このような風受け翼(羽根)が流入してくる風を無駄なく受け止めるようにしている。図８に詳細にみられるように風受け翼本体２１の上部と下部には風受け翼上蓋１８と風受け翼下蓋１９を設けると共に内側に風受け補助翼２０を設けている。
【００１５】
縦型風車の外周側面に当たる風の半分は回転の抵抗となるが、風向調整翼板付きパネル１３がこの抵抗なる風を防ぐ役目も果たし、中心シャフトの回転をより効率良くする役目を果たす。
【００１６】
縦型風車の外周を囲う風向調整翼板付きパネル１３は、３６０度の方向にある各パネルの取り付け位置で、風の流入を効率良く縦型風車の中心回転シャフト１６の腕木１７に取り付けた風受け翼３２に誘導する。その為に各パネルを固定している柱１２は上下の桁１１によって起立状態にしたものである。縦型風車の中心から離れた外周側に風を集中させるので「てこ」の原理で風力が効果的に作用して回転力を高めることができる。
【００１７】
縦型風力発電装置を円形で制作した場合と比べ、風向調整翼板を取り付けたパネルで外周を１２角形で連結し構成した場合、円形より多くの風を風車内に送り込める構造になっている、その説明は符号３０で表わしている部分が円形より多くの風を取り込める部分となっている、この部分は円形構造では風車内に風を取り込むのは不可能である。
【００１８】
本発明の補助装置３４の形態は、腕木先端部に固定し稼働させ腕木１７を移動させることができるものである。
【実施例２】
【００１９】
図３および４に示すように、補助装置３５をパネル下部に取り付け実施することも可能である。
【産業上の利用可能性】
【００２０】
本発明は、縦型風力発電装置弱点である、無風、微風時に発電できない弱点を克服する為の手段として、風力の代わりに、縦型風力発電装置の中心シャフトに取り付けた水平方向に回転する腕木先端に補助装置を取り付け、これを作動させ風力の代わりのエネルギーとして活用し発電をさせるようにしたものである。
【符号の説明】
【００２１】
（１）（２）（３）風の流れ
１１    桁
１２    柱
１３  風向調整翼板付きパネル
１４  桁
１５  風向調整板翼
１６  中心シャフト
１７  腕木
１８  風受け翼上蓋
１９  風受け翼下蓋
２０  風受け補助翼
２１  風受け翼本体
２２  中心シャフト受け部
２３  回転変化ギヤー
２４  回転増幅ギヤー
２５  発電装置
２７  蓄電池
２８  インバーター
３０  この部分に当たる風を取り込む事が出来、円形装置では取りこめない。
３２  風受け翼
３３  風車に対して抵抗となる風が当たる部分
３４  補助装置（実施例１）
３５  補助装置（実施例２）
【図１】
2013029062.tif 000003
【図２】
2013029062.tif 000004
【図３】
2013029062.tif 000005
【図４】
2013029062.tif 000006
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
縦型風力発電装置の中心シャフトより離れた位置すなわち中心シャフト取り付けた腕木の先端部に補助装置を取り付け、テコの原理を利用しより小さな少ないエネルギーで無風、微風時にこの装置を稼働させ風力の代わりのエネルギーとして利用し従来の風力発電装置の不安定な電力供給をより安定供給が出来る事を特徴とする縦型風力発電装置の発電補助装置。
【請求項２】
縦型風力発電装置の外周部パネル部に補助装置を取り付け、中心シャフトより離れた位置で腕木と連結しテコの原理を利用しより小さな少ないエネルギーで無風、微風にこの装置を稼働させ風力の代わりのエネルギーとして利用し従来の風力発電装置の不安定な電力供給をより安定供給出来る特徴とする縦型風力発電装置の発電補助装置。
【請求項３】
縦型風量発電装置の外周部、すなわち中心シャフトより離れた位置に独立補助装置を設置しこれを中心シャフトに取り付けたられた腕木と連結し、テコの原理を利用し、より小さな少ないエネルギーで無風、微風時にこの装置を稼働させ風力の代わりのエネルギーとして利用し従来の風力発電装置の不安定な電力供給をより安定供給出来る事を特徴とする縦型風力発電装置の発電補助装置。
【請求項４】
請求項１，２，３に示す補助装置として回生モーターを取り付け風力でこの回生モーターで発電蓄電し、無風、微風時にこの装置（回生モーター、蓄電装置）を稼働させ風力の代わりのエネルギーとして利用し従来の風力発電装置の不安定な電力供給をより安定供給出来る事を特徴とした縦型風力発電装置の発電補助装置。
【手続補正２】
【補正対象書類名】明細書
【補正対象項目名】全文
【補正方法】変更
【補正の内容】
【発明の詳細な説明】
【技術分野】
【０００１】
本発明は実用登録３１６３９７７の縦型風力発電装置の中心シャフトに取り付けた水平方向に縦型風力発電装置の中心シャフトに取り付けた水平方向に回転する腕木先端、又は外周部に補助装置を取り付け、無風、微風時にこれを作動させ風力の代わりの回転エネルギーとし活用し腕木を移動させることにより中心シャフトを回転させ連結された発電装置で発電させるものである。すなわち、風力発電装置の大きな弱点である、無風、微風時の発電を可能にし、また、必要時に補助装置を作動させ発電できる事で従来の風力発電の不安定な電力の供給をより安定供給出来るようした発明である。
【背景技術】
【０００２】
縦型風力発電装置のみならず、風力発電の弱点は無風状態では発電装置が何の役にも立たない、これを、本発明は風力発電装置の更なる利用を可能にしたものである。
【先行技術文献】
【特許文献】
【０００３】
【特許文献１】登録実用第３１６３９７７号公報
【特許文献２】特開２００８−２２３７５３号公報
【発明の概要】
【発明が解決しようとする課題】
【０００４】
本発明は縦型風力発電装置の弱点である無風、微風時は発電が出来ない。
【課題を解決するための手段】
【０００５】
本発明は、縦型風力発電装置弱点である、無風、微風時に発電できない弱点を克服する為の手段として、風力の代わりに、登録実用第３１６３９７７号公報などの縦型風力発電装置の中心シャフトに取り付けた水平方向に回転する腕木先端、又は外周部に補助装置を取り付け、これを作動させ風車回転中心シャフトよりより離れた位置の部先端部をテコノ原理で小さな少ないエネルギーで移動させ風力の代わりのエネルギーとして活用し発電をさせるようにしたものである。
本発明の補助装置とは各種モーター（回生モーター）、原動機、などの現在知られている駆動装置をさす。
【０００６】
すなわち、縦型風力発電装置を電力が必要な時に発電できる、従来の縦型風力発電装置の活用範囲を拡大させたものである。
【発明の効果】
【０００７】
本発明は縦型風力発電装置の中心シャフトに取り付けた水平方向に回転する腕木先端又は外周部に補助装置を取り付け、無風、微風時にこれを作動させ風力の代わりの回転エネルギーとし活用し中心シャフトを回転させ連結された発電装置で発電させるものである。
【０００８】
すなわち、風力発電装置の大きな弱点である、無風、微風時の発電を可能にし、また、大量の電力量が必要な場合、補助装置を作動させて回転エネルギーと風力と合わせて発電させる事も出来るようしたもので従来の縦型風力発電の概念を大きく変えた発明である。
【０００９】
この発明は、風力と補助装置の併用で大きな回転エネルギーを得る事で従来の風力発電の不安定な電力の供給を、より安定供給ができる縦型風力発電装置としたものである。
【図面の簡単な説明】
【００１０】
【図１】図１は実施例１に示す縦型風力発電装置の内部に取り付けた腕木の先端部に補助装置を取り付けた図である。
【図２】図２は実施例１の断面図である。
【図３】図３は実施例２の縦型風力発電装置の外周パネル部に補助装置を取り付けた図である。
【図４】実施例２の断面図である。
【図５】図５は実施例３の縦型風力発電装置の外周部に補助装置を独立設置した図である。
【図６】実施例３の側面図である。
【実施例１】
【００１１】
図１および２に示すように補助装置３４を腕木先端部に固定し稼働させ腕木１７を移動させることができるものである。
【実施例２】
【００１２】
図３および４に示すように、補助装置３５を外周部に取り付け稼働させ、回転部腕木の先端に連結、又は接触させ腕木を移動させることを可能にしたものである。
【実施例３】
【００１３】

図５および６に示すように、補助装置３６を風車外周部に独立形態で設置し風車回転部腕木と連結、又は接触させ腕木を移動させることを可能にしたものである。
【産業上の利用可能性】
【００１４】
本発明は、縦型風力発電装置弱点である、無風、微風時に発電できない弱点を克服する為の手段として、風力の代わりに、縦型風力発電装置の中心シャフトに取り付けた水平方向に回転する腕木先端、又は風車外周部に補助装置を取り付け、これを作動させ風力の代わりのエネルギーとして活用し、従来の風力発電の不安定な電力の供給をより安定供給出来るようにしたものである。
【符号の説明】
【００１５】
（１）（２）（３）風の流れ
１１    桁
１２    柱
１３  風向調整翼板付きパネル
１４  桁
１５  風向調整板翼
１６  中心シャフト
１７  腕木
１８  風受け翼上蓋
１９  風受け翼下蓋
２０  風受け補助翼
２１  風受け翼本体
２２  中心シャフト受け部
２３  回転変化ギヤー
２４  回転増幅ギヤー
２５  発電装置
２７  蓄電池
２８  インバーター
３０  この部分に当たる風を取り込む事が出来、円形装置では取りこめない。
３２  風受け翼
３３  風車に対して抵抗となる風が当たる部分
３４  補助装置（実施例１）
３５  補助装置（実施例２）
３６  補助装置（実施例３）
【手続補正４】
【補正対象書類名】図面
【補正対象項目名】図５
【補正方法】追加
【補正の内容】
【図５】
2013029062.tif 000007
【手続補正５】
【補正対象書類名】図面
【補正対象項目名】図６
【補正方法】追加
【補正の内容】
【図６】
2013029062.tif 000008